Podtech/llm-jp-corpus-v4-ja_patent huggingface dataset:
(57)【要約】【課題】  血糖値上昇抑制作用を有する組成物を提供し、ひいては該組成物を含有する飲食品又は医薬品を提供することにある。【解決手段】  ブルーエルフィンの成分を含有することを特徴とする血糖値上昇抑制組成物、及び該組成物を含有する飲食品又は医薬品を提供する。【選択図】なし【特許請求の範囲】
【請求項１】
ブルーエルフィンの成分を含有することを特徴とする血糖値上昇抑制組成物。
【請求項２】
請求項１に記載の組成物を含有する飲食品又は医薬品。
【発明の詳細な説明】
【技術分野】
【０００１】  本発明は血糖値上昇抑制を目的とした組成物、及び該組成物を含む飲食品又は医薬品に関する。
【背景技術】
【０００２】  血糖値上昇を抑制する飲食品、医薬品は糖尿病、肥満の予防、治療に有用である。また、ダイエットのカロリーコントロールにも利用されている。現在、血糖値上昇抑制剤として桑の葉、グァバ葉ポリフェノール、豆鼓エキス、ボグリボースなどが知られているが、より効果の高い新しい素材が求められている。【０００３】  ブルーエルフィン（学名Ｃｌｅｒｏｄｅｎｄｒｕｍ  ｕｇａｎｄｅｎｓｅ、英名ｂｕｔｔｅｒｆｌｙ  ｆｌｏｗｅｒ）はオセアニアを原産とする植物である。本発明以前には、ブルーエルフィンが血糖値上昇を抑制するという報告はまったく無い。また、ブルーエルフィンが糖尿病、肥満の予防、改善やダイエットなどに有用であることは全く知られていなかった。
【発明の開示】
【発明が解決しようとする課題】
【０００４】本発明は、血糖値上昇抑制作用を有する組成物を提供し、ひいては該組成物を含有する飲食品又は医薬品を提供することにある。
【課題を解決するための手段】
【０００５】  上記の課題を解決するために鋭意検討を重ねた結果、ブルーエルフィンに顕著な血糖値上昇抑制作用があることを見出した。すなわち本発明は、以下の構成を有する。
（１）ブルーエルフィンの成分を含有することを特徴とする血糖値上昇抑制組成物。
（２）上記（１）に記載の組成物を含有する飲食品又は医薬品。
【発明の効果】
【０００６】本発明により、ブルーエルフィンの成分を含有することを特徴とする血糖値上昇抑制組成物、及び該組成物を含有する飲食品又は医薬品を提供することができる。
【発明を実施するための最良の形態】
【０００７】  本発明に関わるブルーエルフィンとは英名：ｂｕｔｔｅｒｆｌｙ  ｆｌｏｗｅｒ、学名：Ｃｌｅｒｏｄｅｎｄｒｕｍ  ｕｇａｎｄｅｎｓｅをさす。【０００８】  本発明に関わるブルーエルフィンは、植物全体、又は葉部をそのまま用いてもよく、これらを乾燥した乾燥体、もしくは乾燥後粉砕した粉末を用いることもできる。また、これらを水抽出、熱水抽出、酸性下での抽出、アルカリ性下での抽出、エタノール、アセトン、酢酸エチル、ヘキサン等有機溶媒で抽出した抽出物を用いることもできる。【０００９】  本発明に関わる血糖値上昇抑制剤を製造するには、上記の方法で製造したブルーエルフィンの成分を用いることができ、常法に従って公知の医薬用無毒性担体と組み合わせて製剤化すればよい。本発明に関わる血糖値上昇抑制剤は、種々の剤型での投与が可能であり、例えば、経口投与剤としては錠剤、顆粒剤、散剤、カプセル剤、ソフトカプセル剤などの固形剤、溶液剤、懸濁剤、乳化剤等の液剤、凍結乾燥剤等があげられ、これらの製剤は製剤上の常套手段により調製することができる。上記医薬用無毒性担体としては、例えば、グルコース、乳糖、ショ糖、でんぷん、マンニトール、デキストリン、脂肪酸グリセリド、ポリエチレングリコール、ヒドロキシエチルでんぷん、エチレングリコール、ポリオキシエチレンソルビタン脂肪酸エステル、アミノ酸、アルブミン、水、生理食塩水などが挙げられる。また、必要に応じて安定化剤、滑沢剤、湿潤剤、乳化剤、結合剤等の慣用の添加剤を適宜添加することができる。本発明に関わる血糖値上昇抑制剤において、ブルーエルフィン成分の投与量は、患者の年齢、体重、症状、疾患の程度、投与スケジュール、製剤形態等により、適宜選択、決定されるが、例えば、一日当たり生葉等価量として０．０１−１００ｇ／ｋｇ体重程度とされ、一日数回に分けて投与してもよい。【００１０】  また、本発明に関わるブルーエルフィンは、毒性を有することは報告されていないことから、血糖値上昇抑制を目的とした飲食品として摂取することもできる。本発明に関わるブルーエルフィンの成分は、特定保健用食品、栄養機能食品、又は健康食品等として位置付けることができる。機能性食品としては、例えば、ブルーエルフィンの成分に適当な助剤を添加した後、慣用の手段を用いて、食用に適した状態、例えば、顆粒状、粒状、錠剤、カプセル剤、ソフトカプセル剤、ペースト状等に形成したものを用いることができる。この飲食品は、そのまま食用に供してもよく、また種々の食品（例えばハム、ソーセージ、かまぼこ、ちくわ、パン、バター、粉乳、菓子など）に添加して使用したり、水、酒類、果汁、牛乳、清涼飲料水等の飲物に添加して使用してもよい。かかる食品の形態における本発明のブルーエルフィンの成分の摂取量は、年齢、体重、症状、疾患の程度、食品の形態等により適宜選択・決定されるが、例えば、一日当たり生葉等価量として０．０１−１００ｇ／ｋｇ体重程度とされ、一日数回に分けて投与してもよい。
【実施例】
【００１１】  以下に本発明をより詳細に説明するために実施例を挙げるが、本発明はこれらによって何ら限定されるものではない。【００１２】  実施例  ブルーエルフィンメタノール抽出物の血糖値上昇抑制作用
被験試料としてブルーエルフィンのメタノール抽出物を用いた。ブルーエルフィンの葉の粗切物（１００ｇ）を１０倍量のメタノールに一日浸漬し、減圧乾固し、抽出物を得た。７週齢の雄ｄｄＹマウスを実験前日から約２４時間絶食させ、１匹当りブルーエルフィンのメタノール抽出物（５００ｍｇ／ｋｇ）とグルコース（１０００ｍｇ／ｋｇ）を１．０ｍｌの蒸留水に溶かしたものを経口投与し、経時的に血糖値測定を行った。コントロールには、１匹当りグルコース（１０００ｍｇ／ｋｇ）を１．０ｍｌの蒸留水に溶かしたものを経口投与した。血糖値の測定はグルコースＣＩＩテストワコー（和光）を用いた。それぞれの投与群の経時的な血糖値の変化を測定した。それぞれの値は平均値±標準誤差（ｍｇ／ｄｌ）を示す。有意差検定はＳｔｕｄｅｎｔのｔ−ｔｅｓｔによって行った。＊＊＊はコントロールに対しｐ＜０．００５を示す。
【表１】
2009046462.tif 000002
【００１３】この結果より、ブルーエルフィン抽出物はグルコース摂取による血糖値の上昇を顕著に抑制することが示された。
【産業上の利用可能性】
【００１４】  本発明により、ブルーエルフィンの成分を含有することを特徴とする血糖値上昇抑制組成物及び該組成物を含有する飲食品又は医薬品提供することが可能となった。
(57)【要約】【課題】和服は、従来から衿元を補整するために、上前と下前をベルトで固定する方法があった、それでも初心者の場合は、着付け時に衿元が汗で濡れたり崩れたり、化粧が付いて汚れたりした。【解決手段】着付け時に吸水性のある布を首周りに巻く、或いは和服の衿を覆うことで、汗や化粧が和服の衿に付き汚れることが無くなる。また、首の後ろと和服の衿の空間に型を嵌め込むことで崩れを予防できる。【選択図】図１０
2009046789.tif 000002
【特許請求の範囲】
【請求項１】
吸水性のある布で、首周りを覆える大きさに製法し、その布に衣紋を抜いた形を模ったものを一体化させ、着付けの際には後首と和服の衿の間に、衣紋を抜いた形態を嵌め込むことで、着付け時の衿元の崩れを予防する。
【請求項２】
和服の衿または首を布で覆うことにより、着付け時に化粧が衿に付いて汚れることや汗で衿が濡れることを防ぐ。
【請求項３】
首周りの布の後首に当たる所に、保冷剤や保温材を入れることで、首の爽快感が得られる。
【発明の詳細な説明】
【技術分野】
【０００１】  本発明は、和服の着付けに使用する、衿元の補整具に関する。
【背景技術】
【０００２】  従来の衿元の補整には、下前の衿先と上前の衿先をはさんで胸元を固定するベルトがある。（例えば、特許文献１参照。）。
また、後衿部の着こなし状態を良好に出来る二部式着物（例えば、特許文献２参照。）や後衿部の内側に垂れ布を付ける（例えば、特許文献３。）がある。【０００３】
【特許文献１】  特開平２００１−２８８６０８
【特許文献２】  特開平６−１８４８０１
【特許文献３】  特開平２００２−３８３１２
【発明の開示】
【発明が解決しようとする課題】
【０００４】  上記のベルトでは、暖かい場所で和服、特に浴衣を着付けする際、汗で浴衣の衿が濡れたり、ベルトをしても着付け初心者では衿元の形が崩れたりした。また、化粧が付着して、和服の衿元が汚れることもあった。二部式着物は楽に着付けできるが、従来から持っている和服を、二部式に仕立て直すのが大変である。着物の後衿部の内側に垂れ布を付けると、着付け時の衿を良好に整えることが出来るが、夏用の薄物着物や浴衣の場合は透けて見える場合がある。【０００５】  本発明は、従来から持っている和服を着付ける際、衿が汗や化粧によって汚れたり、崩れたりしないようにする目的のものである。
【課題を解決するための手段】
【０００６】  上記目的を達成するため、本発明品は首周りに吸水性素材の布を巻き、着付けの際にかく汗を吸収させる。【０００７】  また、首周りの布を折って和服の衿を覆う様に装着すると、化粧が衿に付着するのを防ぐことが出来る。【０００８】  その首周りの布に、和服の衣紋を抜いた時に出来る、後衿と首の後ろの間に出来る空間を型取ったものを一体化させ、その型を着付けの際に首の後ろと和服の衿の間にはめ込むことで、着付けをする際に衿元が崩れるのを防ぐ。
【発明の効果】
【０００９】  上記のように本発明の和服衿元の補整具は、着付け時に化粧で衿元が汚れるのを防いだり、汗で和服の衿が濡れたり、形が崩れるのを予防できる。
【発明を実施するための最良の形態】
【００１０】  以下、本発明の実施の形態を図１〜図１０に基づいて説明する。【００１１】  図１は、着付けの際に衣紋を抜いた時にできる、首の後ろと和服の衿までの空間を、厚紙またはプラスチック等で模ったものである。プラスチック素材で作成した場合は、熱をあてて湾曲させてから布で覆い縫う。【００１２】  図２は、図１を厚紙で作成した場合、図１を湾曲させるためのもの。図２を布で覆う。【００１３】  図１の中心点１に図２の中心点２がくるように、図３の形に縫い合わせる。【００１４】  完成すると、図４の様に衣紋を抜いた空間に嵌め込むことが出来る。【００１５】  図５は、首周りまたは和服の衿を覆う布で、吸水性素材の布を縦幅は首の長さに合わせて凡そ１３ｃｍ程度、横幅は凡そ４５ｃｍ程度に仕上がるように縫製する。この布を首に巻いて喉側で合わせる位置に、スナップ・マジックテープ等を付ける。【００１６】  図５の首周りまたは和服の衿を覆う布に、図３の衣紋を抜いた時の型を縫付けるか、マジックテープ等を付けて一体化させると、図６になる。
首の後ろにあたる所は、保冷剤等を入れるポケット図７の３を作る。
【実施例】
【００１７】  着物用肌着を着用したら、本発明品を首に装着する。その後、個々普段の手順で長襦袢、着物、浴衣を着付ける。図４、図８、図９、図１０は着付けの際に装着した外観図である。
【図面の簡単な説明】
【００１８】
【図１】作成法の一例、衣紋を抜いた時に出来る、首の後ろと和服の衿との間に出来た空間を模った平面図
【図２】作成法の一例、図１を湾曲させるための平面図
【図３】作成法の一例、図１と図２を合せて出来た形の側面図
【図４】図３を装着した背面の外観図
【図５】首周り又は和服の衿を覆う布の形で外観図
【図６】図３を図５に縫い合わせた外観図
【図７】図３を図５に縫い合わせた外観図
【図８】図６を着付けの際に首に巻いて装着した正面の外観図
【図９】図６を着付けの際に和服の衿を覆う形で装着した正面の外観図
【図１０】図６を着付けの際に和服の衿を覆う形で装着した側面の外観図
【図１】
2009046789.tif 000003
【図２】
2009046789.tif 000004
【図３】
2009046789.tif 000005
【図４】
2009046789.tif 000006
【図５】
2009046789.tif 000007
【図６】
2009046789.tif 000008
【図７】
2009046789.tif 000009
【図８】
2009046789.tif 000010
【図９】
2009046789.tif 000011
【図１０】
2009046789.tif 000012
(57)【要約】      （修正有）【課題】従来はマフラーと手袋は当然別々のものであり、マフラーと二つの手袋の三つのパーツに分かれる。  従ってその中の一つを置き忘れたり、紛失の可能性がある。又、これら三つはだいたい同時に使うものである事から  これら三つをひとつにまとめ、置忘れや、紛失を防止するものである。又、恋人同士や夫婦等のカップルの為にマフラーを極端に長くし、使用法を色々アレンジ出来る様にした。【解決手段】本発明は、マフラー１の先端、或いはマフラー１のあらゆる部分に複数の手袋２を取り付け、その全ての手袋より手を差し込み通常の用途に供することが出来るようにした。マフラー１の長さを極端に長くする事により、使用法の巾を広げた。【選択図】図４
2009046790.tif 000002
【特許請求の範囲】
【請求項１】
マフラーの先端、或いはところどころに手袋（グローブ）を取り付けマフラーと手袋を一体にした。
【請求項２】
マフラーの長さを極端に長くしカップルで同時に使用出来る様にした。
【発明の詳細な説明】
【技術分野】
【０００１】本発明は、マフラー▲１▼の先端、或いはマフラー▲１▼のあらゆる部分に複数の手袋▲２▼を取り付け、その全ての手袋▲２▼は▲３▼より手を差し込み通常の用途に供することが出来るようにしたものである。
【背景技術】
【０００２】従来はマフラーと手袋は当然別々のものであり、マフラーと二つの手袋の三つのパーツに分かれる。従ってその中のひとつを置き忘れたり、紛失の可能性がある。又、これら三つはだいたい同時に使うものである。
【発明の開示】
【発明が解決しようとする課題】
【０００３】これは次の様な問題点があった。
従来はマフラーと手袋は当然別々のものであり、マフラーと二つの手袋の三つのパーツに分かれる。  従ってその中の一つを置き忘れたり、紛失の可能性がある。又、これら三つはだいたい同時に使うものである事から  これら三つをひとつにまとめ、置き忘れや、紛失の防止を解決するものである。
又、是は問題点ではないがマフラーの使用法の巾を広げる事である。
【発明が解決する為の手段】
【０００４】本発明は、マフラー▲１▼の先端、或いはマフラー▲１▼のあらゆる部分に複数の手袋▲２▼を取り付け、その全ての手袋▲２▼は▲３▼より手を差し込み通常の用途に供することが出来るようにした。
マフラー▲１▼の長さを極端に長くする事により、使用法の巾を広げた。
【発明の効果】
【０００５】マフラー▲１▼と複数の手袋▲２▼を一つにまとめた事により、その各一つを置き忘れ或いは紛失することがなくなった。
又、恋人や夫婦などのカップルは図４のように使い方を色々とアレンジしてたのしめる。
【発明を実施する為の最良の形態】
【０００６】以下、本発明の実施の形態について説明する。
イ）従来二つの手袋とマフラーが三つのパーツに分かれていたものを一つにまとめて一体化した。
ロ）従来二つの手袋を、本発明はマフラー▲１▼に複数の手袋▲２▼を取り付ける事により使用方法の巾を広げた。
ハ）マフラー▲１▼の長さを極端に長くし、カップルでの使用等、色々とアレンジが出来るようにした。
【図面の簡単な説明】
【０００７】
【図１】本発明を示した姿図の一つである。
【図２】本発明を示した姿図の一つである。
【図３】本発明の使用時の図である。
【図４】本発明の色々な使用法の一つの例を表した図である。
【符号の説明】
▲１▼  マフラー部分
▲２▼  手袋部分
▲３▼  手袋への差込口
【図１】
2009046790.tif 000003
【図２】
2009046790.tif 000004
【図３】
2009046790.tif 000005
【図４】
2009046790.tif 000006
(57)【要約】【課題】  ゴルフボールの頭部への衝突事故の衝撃を緩和し安心してゴルフをプレーできるようにする。【解決手段】  ゴルフ用の帽子に、ゴルフボール衝突時の頭蓋骨保護のために軽く薄い衝撃吸収力の高い緩衝材を設ける。【特許請求の範囲】
【請求項１】
ゴルフボール衝突事故の衝撃吸収用に緩衝材を組み込んだゴルフ用の帽子。
【発明の詳細な説明】
【技術分野】
【０００１】  この発明はゴルフのプレー時に打ち込まれたゴルフボールの頭部への衝突による事故の衝撃を減らすための帽子の安全性向上に関するものである。
【背景技術】
【０００２】  近年、数メートルの高さから生卵を落下させても卵が割れない軽く薄く柔軟性が高く、衝撃吸収効果の高いゲル状の緩衝材が実用化されている。
ゴルフボールの質量、大きさは鶏の卵と同じぐらいである。
ゴルフボールの衝突時の衝撃を吸収する良い緩衝材がある。
【発明が解決しようとする課題】
【０００３】  ゴルフをプレー中に隣のホール等からゴルフボールを打ち込まれ近くに落下し怖い思いをすることはしばしばある。実際にボールが当たり、特に頭部に当たる場合は頭蓋骨骨折などの重篤な事故になる場合がある。
ゴルフのプレーヤーはボールを当てられる恐怖と他のプレーヤー等に当ててしまう恐怖を皆持っている。このような事故の対策としてゴルフ保険といった商品がある程である。
ゴルフのプレーヤーは日照対策などに帽子をかぶっていることが多い。頭部へボールが衝突した際に致命的な衝撃とならないような帽子を皆が着用することで深刻な被害者や加害者になることを心配することなく安心してプレーを楽しめるようにすることが望まれる。
衝撃吸収用にオートバイ用のヘルメットのようなものをかぶることも考えられるが、オートバイ用のヘルメットはゴルフボールの落下時の衝突のような衝撃力よりはるかに大きな衝撃力に耐えられるように設計されており、ゴルフのプレー中にオートバイ用のヘルメットを着用することはオーバースペックであり、重くプレーしずらく、外見的にもスマートさを欠く。
一般的なゴルフボールの衝突事故は５０ｍほどの高さからゴルフボールを落下させた程度の衝撃であるので、この程度の衝撃を緩衝できれば十分な効果がある。
【課題を解決するための手段】
【０００４】  ゴルフ用の帽子に、ゴルフボール衝突時の頭蓋骨保護のために軽く薄く衝撃吸収力の高い緩衝材を設ける。外見的には緩衝材のない既存のゴルフ用の帽子とほとんど変わらないようにする。
【発明の効果】
【０００５】  本発明により落下してくるゴルフボール衝突時の頭蓋骨への損傷を劇的に減らすことができる。卵が割れないように頭蓋骨が割られなくなる。ゴルフボールの質量は小さく、薄く軽い緩衝材でも十分な効果があるので、緩衝材を設けたことによりプレーしずらくなることもなく、ファッション性も損なわれない。
この帽子をゴルフのプレーヤー全員が着用することで深刻な被害者や加害者になることを恐れることなく安心してゴルフをプレーできるようになる。
【発明を実施するための最良の形態】
【０００６】  緩衝材は軽く薄く衝撃吸収力が高く柔軟性の高いゲル状のものを用いるのが良いが、その他の緩衝材でも緩衝効果があれば良い。
緩衝材は頭蓋骨を守るために帽子の全面を覆い、布などでカバーし、ファッション性を損なわないようにする。
通気性が損なわれないようにするためには緩衝材に通気口を複数箇所設けてもよい。
(57)【要約】【課題】  ロール式粘着テープに、使用方向を示す矢印および切断面を分かり易くするためのラインまたは矢印の連続、または文字列と矢印の連続、またはイラストと矢印の連続を印刷したことを特徴とするロール式粘着テープを提供する。【解決手段】  ロール式粘着テープの少なくとも片面に、使用方向を示す矢印入りライン（３）または矢印の連続（６）または文字と矢印の連続（８）またはイラストと矢印の連続（１０）が該テープの始端から終端に向かって印刷されていて、ロールが一周して来たとき、接する下のテープ面の該図柄と重複しないように該図柄の幅を超えて、長手方向に平行な縁部の一方の縁部から、長手方向に平行な縁部のもう一方の縁部に向かって繰り返し移動することを特徴とするロール式粘着テープ。【選択図】図１
2009046538.tif 000002
【特許請求の範囲】
【請求項１】
ロール式粘着テープの少なくとも片面に、使用方向を示す矢印入りライン（３）または矢印の連続（６）または文字と矢印の連続（８）またはイラストと矢印の連続（１０）が該テープの始端から終端に向かって印刷されていて、ロールが一周して来たとき、接する下のテープ面の該図柄と重複しないように該図柄の幅を超えて、長手方向に平行な縁部の一方の縁部から、長手方向に平行な縁部のもう一方の縁部に向かって繰り返し移動することを特徴とするロール式粘着テープ。
【発明の詳細な説明】
【技術分野】
【０００１】
本発明は、ロール式粘着テープに使用方向を示す矢印および切断面を分かり易くするためのラインや図柄を印刷した、ロール式粘着テープに関するものである。
【背景技術】
【０００２】
従来、商標や目盛り等を印刷した粘着テープはあった。
【特許文献１】実開平５−７２９
【特許文献１】特開平８−２６９４１０
【発明の開示】
【発明が解決しようとする課題】
【０００３】
従来の粘着テープにおいては使用途中において粘着テープが切断し使用箇所が本体に密着した際、切断した箇所と使用方向を探し出すのに困難をきたしていた。
【課題を解決するための手段】
【０００４】
ロール式粘着テープの少なくとも片面に、矢印入りライン（３）または矢印の連続（６）または文字と矢印の連続（８）またはイラストと矢印の連続（１０）が該テープの始端から終端に向かって印刷されていて、ロールが一周して来たとき、接する下のテープ面の該図柄と重複しないように該図柄の幅を超えて、長手方向に平行な縁部の一方の縁部から、長手方向に平行な縁部のもう一方の縁部に向かって繰り返し移動することを特徴とするロール式粘着テープに関するものである。
【発明の効果】
【０００５】
ロール式粘着テープの使用途中において、使用箇所が切断し本体に密着した結果、使用方向や使用箇所が分かりにくい場合、矢印によって使用方向を知り、切断面におけるラインや図柄のズレによって使用箇所を知ることができる。
【発明を実施するための最良の形態】
【０００６】
以下、本発明の形態について説明する。
・  紙またはプラスチック製のロール芯（１）に
・  粘着テープが一周する毎に、粘着テープの長手方向に平行な縁部の一方の縁部から、長手方向に平行な縁部のもう一方の縁部に向かって、矢印入りライン（３）または矢印の連続（６）または文字と矢印の連続（８）またはイラストと矢印の連続（１０）の図柄がその図柄の幅を超えて移動するように印刷されたテープを巻きつける。
・  矢印入りライン（３）または矢印の連続（６）または文字列と矢印の連続（８）またはイラストと矢印の連続（１０）は該粘着テープの始端から終端に至る間にライン幅を超える移動により、該粘着テープの長手方向に平行な縁部の一方の縁部に達するがその際は再び元の縁部より繰り返し印刷する。
本発明は以上のような構成で、これを使用するときは、切断面（５）におけるの矢印入りライン（３）または矢印の連続（６）または文字と矢印連続（８）またはイラストと矢印の連続（１０）の図柄のズレを見つけて使用箇所を知り、矢印によって使用方向を判断する。
【図面の簡単な説明】
【０００７】
【図１】本発明の矢印入りラインを印刷したロール式粘着テープの斜視図
【図２】本発明の粘着テープ面における、矢印の連続の印刷例を示す。
【図３】本発明の粘着テープ面における、文字と矢印の連続の印刷例を示す。
【図４】本発明の粘着テープ面における  イラストと矢印の連続の印刷例を示す。
【符号の説明】
【０００８】
１  円筒状のロール芯
２  矢印入りラインを印刷した粘着テープ
３  矢印入りライン
４  矢印
５  切断面
６  矢印の連続
７  矢印の連続を印刷した粘着テープ
８  文字と矢印の連続
９  文字と矢印の連続を印刷した粘着テープ
１０  イラストと矢印の連続
１１  イラストと矢印の連続を印刷した粘着テープ
【図１】
2009046538.tif 000003
【図２】
2009046538.tif 000004
【図３】
2009046538.tif 000005
【図４】
2009046538.tif 000006
(57)【要約】【課題】従来の粘着テープは、接着面全体に粘着剤が塗布されていることが一般的である。このため貼り付けられたテープを剥がす際に、テープ全面が貼り付いているため、端の部分を剥がすことが困難なことが多い。【解決手段】本発明はこれらの課題を解決する方法として、粘着テープの剥離作業性を向上するための粘着テープの構造を提供するもので、従来の粘着テープの形状を損なわず、実施できるものである。  粘着テープの接着面に塗布する粘着剤を、テープ幅の１５〜３０％程度の幅で、テープの長手方向に塗布せず非接着面２を図３のようにテープの端側に設けた構造とする。【選択図】図３
2009046546.tif 000002
【特許請求の範囲】
【請求項１】
片面に接着面を有する粘着テープであって、その粘着部分をテープ幅の１５〜３０％の範囲でテープ長手方向に平行に一定幅で片側にのみ粘着剤を塗布せず、非粘着部分を有することを特徴とした粘着テープ。
【請求項２】
請求項１記載の粘着テープにおいて、非接着部分を両側に設けたことを特徴とする粘着テープ。
【請求項３】
粘着テープの非粘着部分に色彩を施したことを特徴とする、請求項１及び請求項２記載の粘着テープ。
【発明の詳細な説明】
【技術分野】
【０００１】
本発明は剥がし易い粘着テープの構造に関する
【背景技術】
【０００２】
従来の粘着テープは、接着面全体に粘着剤が塗布されていることが一般的である。このため貼り付けられたテープを剥がす際に、テープ全面が貼り付いているため、端の部分を剥がすことが困難なことが多い。
【特許文献１】特開Ｈ１１-６１０５８
【特許文献２】実用新案登録第３０１９８１６号
【発明の開示】
【発明が解決しようとする課題】
【０００３】
段ボール箱等の梱包箱の場合は、テープを剥がす代わりにカッターナイフ等の刃物でテープを切断し剥がす手間を省くことが可能であるが、刃を深く入れすぎると中の商品を傷つけたり、切ってしまって商品価値を損なうことも時折発生する。
また、手元に刃物が無い場合など、それを取りに行く余分な手間が発生する。
【０００４】
小型の容器等は、その蓋部分を幅１．５ｃｍ程度のビニールテープで貼り付けてあることが多いが、前述のようにテープの端の部分を剥がすことが困難であると同時に、テープそのものが透明であることが多いため、テープの末端部分を捜し当てることにも時間が掛かってしまい、剥がすこと自体が困難な場合が多い。
【０００５】
高齢者や体の不自由な方などは、健常者に比べ更にこの動作に時間が掛かり、日常的に様々な分野で利用されているこの接着方法が、日常生活の中で便利であると同時に、不便さを生む要因ともなっている。
【課題を解決するための手段】
【０００６】
本発明はこれらの課題を解決する方法として、粘着テープの剥離作業性を向上するための粘着テープの構造を提供するもので、従来の粘着テープの形状を損なわず、実施できるものである。
【０００７】
粘着テープの接着面に塗布する粘着剤を、テープ幅の２０％程度の範囲で、テープの長手方向に一定の幅で平行に塗布をせず非接着面２をテープの端側に設けた構造とする。
【発明の効果】
【０００８】
これにより、粘着テープを貼り付けた際、この粘着剤を塗布してない部分が接着されないため、剥がす際にこの部分を掴み容易に剥がすことが可能となる。
【発明を実施するための最良の形態】
【０００９】
この粘着テープの構造について、図面を引用して説明する。
図１は非接着面２を、テープ幅の２０％程度の幅（ａ）で、テープの長手方向に平行に（ａ）の幅で、片側のみに設けた粘着テープの接着面構造を表したものである。
【００１０】
図３は非接着面２をテープ幅の１５％程度の幅（ａ）で、テープの長手方向に平行に（ａ）の幅で両端に設けた、粘着テープの接着面構造を表したものである。
【００１１】
図５は非接着面２をテープ幅の１５％程度の幅（ａ）で、テープの長手方向に山型が連続するよう（のこぎり状）に両側に設けた、粘着テープの接着面構造を表したものである。
【００１２】
非接着面２の幅は、広い程剥がすときの作業性は向上するが、逆に接着力は低下するため、その幅はテープの幅に対して１５〜３０％程度がよい。
【００１３】
透明のテープの場合、非粘着面に色彩を施し非粘着面であることを強調すること、及び色のついたテープの場合は、非粘着面を別な色で強調することも可能である。
【産業上の利用可能性】
【００１４】
梱包作業でテープでの接合を使用する、あらゆる梱包に利用が可能である。
【図面の簡単な説明】
【００１５】
【図１】本考案片側非接着の平面図
【図２】図１ｂ−ｂ‘断面図
【図３】本考案両側非接着の平面図
【図４】図２ｃ−ｃ‘断面図
【図５】両側非接着部の形状を山型にした平面図
【符号の説明】
【００１６】
１  テープ本体
２  非接着面（粘着剤非塗布部分）
３  粘着剤層
ａ  非接着面の幅
【図１】
2009046546.tif 000003
【図２】
2009046546.tif 000004
【図３】
2009046546.tif 000005
【図４】
2009046546.tif 000006
【図５】
2009046546.tif 000007
(57)【要約】【課題】        車での宣伝方法の新たなアピール具【解決の手段】  走行時の気流を動力源とする【選択図】図１
2009271486.tif 000002
【特許請求の範囲】
【請求項１】
車両等の走行中に、前方から後方への空気の流れを受けて、立上がる、
或いは膨らむ等の、アクションを利用したアピール具。
【発明の詳細な説明】
【発明の詳細な説明】
【技術分野】
【０００１】  この発明は、車の走行中の風圧を利用した、宣伝具及び、アピール具である。
【背景技術】
【０００２】  この種の宣伝具及びアピール具は今までに無かった。
【発明が解決しようとする課題】
【０００３】  車での宣伝方法に、注目度アップが求められる。
【課題を解決するための手段】
【０００４】    車、車両等の走行時に発生する、前方から後方への気流を、動力源に用いて動きを取り入れた。
【発明の実施形態】
【０００５】    壊れやすい、或いは邪魔といった性質があり、常設する物ではなく、何かのイベント又はキャンペーン等の、一時的アイキャッチである。
【発明の効果】
【０００６】  走行時の気流を、動力とする為、停止すると、動力が無くなり、倒れる。走行し出すと、また起きてくる。宣伝効果の多い街中では、走行、停止の繰り返しになる為、寝たり、起きたりして、注目を集める。アピールボードを、何枚かに分けて、それぞれの重さを変える事で、順番に起きてくる等も考えられる。又、空気をはらむ吹き流しの状態で、後方のみのアピールではなく、左右へのアピールも考えられる。
【図面の簡単な説明】
【図１】本発明の移動体風圧アピール具を、装着して走行中の、車の斜視図
【図２】本発明を装着した車、停車時の側面の一部の見取図
【符号の説明】
１はアピール用ボード
２は紐
３は両面テープ又はマグネット等で、車体に接合した状態
【図１】
2009271486.tif 000003
【図２】
2009271486.tif 000004
(57)【要約】【課題】フルートの演奏にあたり、フルートの歌口と奏者の唇の位置関係を迅速、かつ正確に行える様、又演奏中での楽器のズレ防止の為、リッププレートに突起物を設けたフルートを提供する。【解決手段】フルートのリッププレート（２）の中央部分に、突起物（４）を設けた改良リッププレートつきフルートを特徴とする。【特許請求の範囲】
【請求項１】
フルート楽器歌口のリッププレートの中央部分に、突起物を設けた改良リッププレートつきフルート。
【発明の詳細な説明】
【技術分野】
【０００１】この発明は、フルート歌口のリッププレートの中央部分に、突起物を設けた、改良リッププレートつきフルートに関するものである。
【背景技術】
【０００２】従来、フルートのリッププレートは平面的で滑らかな仕上がりとなっている。
【発明の開示】
【発明が解決しようとする課題】
【０００３】これは次の様な欠点があった。
従来フルートの演奏にあたって、奏者が呼気流を歌口のナイフエッジに正確に当てる為の、奏者と楽器の位置関係の確定が困難であった。又、演奏中の楽器のズレに対する対応等、リッププレートが滑らかであるため非常に困難であった。
本発明は、以上の様な欠点をなくす為のものである。
【課題を解決するための手段】
【０００４】フルートのリッププレートの中央部分に突起物を設ける。
本発明は、以上の構成よりなる改良リッププレートつきフルートである。
【発明の効果】
【０００５】フルートのリッププレートに突起物があるため、奏者の下唇で楽器との位置関係が迅速にかつ正確に確認出来ること。又、演奏中の楽器のズレ防止に役立ち、奏者の安心感と技術の向上に効果が大である。
【発明を実施するための最良の形態】
【０００６】以下、本発明を実施するための最良の形態について説明する。
フルートのリッププレートの中央部に突起物を設ける場合、形状は、十字型、円形角型、その他自由な形状で良いが、材質は金属、宝石、プラスチック等その他硬質な材料とする。
本発明は、以上のような構造である。
【図面の簡単な説明】
【０００７】
【図１】  本発明の正面図である。
【図２】  本発明の断面図である。
【符号の説明】
【０００８】１  フルート管体
２  リッププレート
３  歌口
４  突起物
【図１】
2009271481.tif 000002
【図２】
2009271481.tif 000003
(57)【要約】【課題】  光源から照射される光に光量リップルがあるとそのリップルが画像に現れ、検査物の欠点判別が確実にできないため、メタルハライドランプを高周波で点灯するか、直流で点灯していた。メタルハライドランプを高周波で点灯させるとランプのばらつきにより音響共鳴現象でランプがちらついたり、破損したりする。また、直流で点灯させるとランプが短寿命になったり、破損したりする欠点がある。【解決手段】  本発明はメタルハライドランプを音響共鳴現象が発生しない低周波数で点灯させ、かつランプに流れる電流波形を方形波にし、方形波の電流の流れない正負切り替え時点には受光部のカメラが撮影動作せず、電流が流れている部分で受光部のカメラが撮影動作する点灯装置にした。【選択図】図１
2009271897.tif 000002
【特許請求の範囲】
【請求項１】
メタルハライドランプを音響共鳴現象が発生しない低周波数で点灯させ、かつランプに流れる電流波形を方形波にし、同期信号タイミングに基づいて撮影動作しているカメラの未撮影（帰線）期間にランプに流れる方形波電流の正負切り替えを行い、カメラの撮影期間中にはランプに流れる方形波電流の正負切り替えを行わない高圧放電灯点灯装置。
【請求項２】
点灯周波数となるデューティ５０％の方形波をＤフリップフロップのＤＡＴＡ端子に入力し、カメラ同期信号をＤフリップフロップのＣＬＯＣＫ端子に入力し、Ｄフリップフロップの出力端子には同期信号のエッジが点灯周波数方形波のエッジに一致した信号が得られるようにし、この信号を元にランプ電流の正負を切り替え、カメラ撮影期間中はランプ電流の正負を切り替えないようにした請求項１記載の高圧放電灯装置。
【発明の詳細な説明】
【技術分野】
【０００１】  本発明は、欠点検査装置などに使用されるメタルハライドランプなどの光源を点灯させる高圧放電灯点灯装置に関するものである。
【背景技術】
【０００２】  従来、検査物の欠点を検査するため、メタルハライドランプを光源としてその光を検査物に照射し、検査物からの反射光または透過光をカメラで受光し、カメラ画像で欠点があるかどうかを判別していた。【０００３】  光源から照射される光に光量リップルがあるとそのリップルが画像に現れ、検査物の欠点判別が困難になるため、メタルハライドランプを高周波で点灯するか、直流で点灯していた。
【発明の開示】
【発明が解決しようとする課題】
【０００４】  しかし、メタルハライドランプを高周波で点灯させるとランプのばらつきにより音響共鳴現象でランプがちらついたり、破損したりする。また、直流で点灯させるとランプが短寿命になったり破損したりする欠点がある。
【課題を解決するための手段】
【０００５】  前記問題点を解決するため、本発明はメタルハライドランプを音響共鳴現象が発生しない低周波数で点灯させ、かつランプに流れる電流波形を方形波にし、方形波の電流の流れない正負切り替え時点には受光部のカメラが撮影動作せず、電流が流れている部分で受光部のカメラが撮影動作する点灯装置にした。【０００６】  カメラによる画像撮影は同期信号タイミングにより行われるので、点灯周波数となるデューティ５０％の方形波をＤフリップフロップのＤＡＴＡ端子に入力し、同期信号をＤフリップフロップのＣＬＯＣＫ端子に入力することにより、Ｄフリップフロップの出力端子には、同期信号のエッジが点灯周波数方形波のエッジに一致した信号が得られるようにし、この信号を元にランプ電流の正負を切り替えれば、カメラ撮影期間中はランプ電流の正負を切り替えないようにできる。
【発明の効果】
【０００７】  本発明によれば、メタルハライドランプを音響共鳴現象が発生しない低周波数で点灯させ、かつランプに流れる電流波形を方形波にし、方形波の電流の流れない正負切り替え時点には受光部のカメラが撮影動作せず、電流が流れている部分で受光部のカメラが撮影動作する点灯装置にすることにより、検査物の画像を光量リップルのない照明光で撮影できるため、検査物の欠点判別を確実に行うことができ、かつメタルハライドランプを方形波交流で点灯させているため長寿命かつ安価な交流用ランプを使用できる。
【発明を実施するための最良の形態】
【０００８】  以下、図面に基づき本発明の実施の形態を説明する。【０００９】  図１は、本発明の実施例を示す点灯装置のブロック図である。【００１０】  商用交流電源を所定のランプ電流値に変換する直流ランプ電流生成回路３の直流電流出力は、ランプ電流正負切り替え回路６により交流の方形波電流に変換される。【００１１】  同時に、論理回路Ｄフリップフロップ回路４のＤＡＴＡ端子には高圧放電灯７を点灯させる点灯周波数１を入力し、ＣＬＯＣＫ端子には同期信号パルス２を入力すると、Ｄフリップフロップ回路４の出力は図２の波形が出力される。【００１２】  図２を説明すると、ＤＡＴＡ端子の信号は、ＣＬＯＣＫ端子の信号がＬレベルのとき読み込まれ、ＣＬＯＣＫ端子の信号がＨレベルになると出力に伝達され、ＤＡＴＡ端子の信号は出力され、この状態はＤＡＴＡ端子の信号がＨレベル継続中は維持される。次に、ＤＡＴＡ端子の信号がＬレベルに切替わると、ＣＬＯＣＫ端子の信号がＬレベルの間はＤＡＴＡ端子の信号はＨレベルのまま維持されるが、ＣＬＯＣＫ端子の信号がＨレベルになるとＤＡＴＡ端子の記憶している信号を吐き出すため、出力はＬレベルで出力される。この出力された波形はデットタイム生成回路５を通してランプ電流正負切り替え回路６で所定ランプ電流値の低周波方形波になり、高圧放電灯７に通電される。【００１３】  この間カメラによる画像撮影は同期信号のＬレベルのとき行われるよう設定しているため、常にランプ電流が定電流で出力されている状態で行われる。このためカメラ画像には乱れが生じなく、確実に検査物の欠点判別が可能となる。なお、回路構成の都合により論理レベルを反転して使用することも可能である。
【図面の簡単な説明】
【００１４】
【図１】本発明の実施例を示す点灯装置のブロック図。
【図２】Ｄフリップフロップ回路の出力波形の説明図。
【符号の説明】
【００１５】    １・・・点灯周波数
２・・・同期信号パルス
３・・・直流ランプ電流生成回路
４・・・Ｄフリップフロップ回路
５・・・デットタイム生成回路
６・・・ランプ電流正負切り替え回路
７・・・高圧放電灯
【図１】
2009271897.tif 000003
【図２】
2009271897.tif 000004
(57)【要約】      （修正有）【課題】操作者が次の推移ポイントを指定する時、もっとも確率の大きな予想推移ルートを目視できることとなり、有効且つ簡便なガイドを提供する。【解決手段】操作者が順次金利推移ルートのポイントごとのレベルを指定していくとき、その推移点を始点とする最も確率の大きい推移ルートを、予め金利推移マトリクスによって計算した各推移ポイント・金利水準ごとの次に移行すべきポイントを示すテーブルによって数値又はグラフとして表示する。【選択図】図１
2009271898.tif 000002
【特許請求の範囲】
【請求項１】
電算機で操作者が一定期間の将来の金利推移を手動操作で順次レベルを指定しながら画面上で策定するとき、予めマルコフ推移確率マトリクスに従って計算した推移ポイント・金利レベルごとの次の推移点を示すテーブルに従って、操作者が指定したポイントを出発点として、もっとも確率の大きい将来の推移ルートを画面上にグラフ形式又は数字で表示して、操作者の次の推移ポイント指定を有効にガイドすること。
【発明の詳細な説明】
【技術分野】
【０００１】本発明は操作者が金利予測を電算機の画面上で策定するとき、有効で簡便なガイダンスが得にくいことを解消するためのものである
【背景技術】
【０００２】従来は画面上で金利推移の予測を策定するとき参考データを同じ画面上に表示する等の補助手段しかなかった。
【発明の開示】
【発明が解決しようとする課題】
【０００３】従来は画面上で金利推移の予測を策定するとき参考データを同じ画面上に表示する等の補助手段しかなかった。
【課題を解決するための手段】
【０００４】操作者が順次金利推移ルートのポイントごとのレベルを指定していくとき、その推移点を始点とする最も確率の大きい推移ルートを、予め金利推移マトリクスによって計算した各推移ポイント・金利水準ごとの次に移行すべきポイントを示すテーブルによって数値又はグラフとして表示する。
【発明の効果】
【０００５】操作者が次の推移ポイントを指定する時、もっとも確率の大きな予想推移ルートを目視できることとなり、有効且つ簡便なガイドとなる。
【実施例１】
【０００６】
【図面の簡単な説明】
【０００７】
【図１】本発明で行う計算と表示を例示する。
【図１】
2009271898.tif 000003
(57)【要約】【課題】本発明は、各社が独自で発行している顧客還元のためのポイントプログラム構築においてアフィリエイトＡＳＰを利用することにより、簡易に共通利用も独自利用も可能なポイントプログラムを構築する仕組みに関するものである。【手段】ポイントを取得したい会員は、インターネット上にあるＡＳＰサイトにて会員登録をする。その後、ポイント付与が可能な指定のサイトに訪問し、購買行為や予約行為を行う。ＡＳＰサイトから発行される会員毎のＣｏｏｋｉｅをベースにトラッキングタグの埋め込まれた提携企業サイトより、実績ファイルを受け取る。企業毎に定めたポイント料率以外に異なる企業間で定めた共通ポイント料率を算出し、購買や予約を行った１社のみのポイントでなく、異なる組織においても共通で利用できるポイントを会員に付与する。【選択図】図３
2009271896.tif 000002
【特許請求の範囲】
【請求項１】
トラッキングタグを埋め込むのみで簡易に自社ポイント組織が構築できる仕組み。
【請求項２】
企業体において、個人情報を保持せず、ポイントが還元できる仕組み。
【請求項３】
ＡＳＰにより、サーバー内に複数のポイント還元率を設定することにより、協業にてポイントプログラムを容易に構築できる仕組み。
【発明の詳細な説明】
【技術分野】
【００１】本発明は、各社が独自で発行している顧客還元のためのポイントプログラム構築においてアフィリエイトＡＳＰを利用することにより、簡易に独自利用もアライアンスを組んだ企業同士も利用も可能なポイントプログラムを構築する仕組みに関するものである。
【背景技術】
【００２】アフィリエイトプログラムとして、仲介するアフィリエイトＡＳＰが広告主並びに広告媒体を提供する者を募り、成果報酬に従い、媒体を提供するものに双方で決定した金額などの報酬を支払う仕組み存在ことは広く知られている。
【発明の開示】
【発明が解決しようとする課題】
【００３】従来の会員組織におけるインターネット上のポイント付与プログラムでは自社内に会員用データベースや購買履歴データベースを構築する必要がある。また、他社間で相互に流用できるポイントプログラムの構築は仕様設計などの問題があり簡易には出来ない。
【課題を解決するための手段】
【００４】ＡＳＰとして、ポイント付与を行いたい企業を募る。また、ポイントを取得したい者をＡＳＰ上にて募る。
ポイントを取得したい者（１）は、インターネット上にあるＡＳＰサイト（２）にて会員登録をする。登録すると会員データベース（３）に情報が書き込まれる。
ポイントを付与したい企業（提携企業）は、各自のサイトの購買や予約行為の終了するページ（４）上などにＡＳＰサイトが指定するトラッキングタグを埋め込む。
企業データベース（５）に各企業にて定めるポイント付与料率を独自ポイント料率として格納する。また、異なる企業間で共通に利用できるポイントの付与料率を企業データベースにアライアンスポイント料率として格納する。
会員がＡＳＰサイトにて認証後、提携企業にて購買や予約を行い、一定期間を経て提携企業より実績ファイル（６）を収受する。ＡＳＰサイト（１）から発行された会員毎のＣｏｏｋｉｅをベースに実績ファイルより会員を割り出す。あわせて、企業データベースに保持されている独自ポイント料率とアライアンスポイント料率を参照、売上額などから算出し基幹であるポイントＤＢ（７）にポイントを格納する。
ポイント付与された会員は、ＡＳＰサイトにて認証を行いポイントの確認できる。
ポイントが付与された会員は、ＡＳＰサイトにて認証後、行使の処理を行い、保持するポイントを利用することが出来る。その際は、ＡＳＰサイトより提携企業に通達を行う。
【発明の効果】
【００５】ＡＳＰにすることにより、格段に構築費の安い共有のポイントプログラムが構築できる。
個人情報をＡＳＰサイドに持つため、各企業において個人情報漏洩などのリスク管理が不要である。
ポイント料率を各社のサイトのみに固定するだけでなく、競合他社で使える共有ポイント料率を設定できるようにすることにより簡易に数種類のポイントプログラムを構築できる。
【実施例】
【００６】ホテル業界の自社ホームページ予約会員において、各社個別にポイントプログラムを構築しているが、顧客は一地域のみの旅行とは限らない。地区が異なりまた、経営母体の異なる組織間で共通ポイントプログラムを発行することにより顧客の流動化を図ることが可能である。
【図面の簡単な説明】
【００７】
【図１】会員登録について
【図２】提携企業のタグ埋め込みについて
【図３】全体像と流れ
【図４】会員によるポイント認証
【図５】会員によるポイント行使
【符号の説明】
【００８】（１）会員（２）ＡＳＰサイト（３）会員データベース（４）提携企業ホームページ（５）企業データベース（６）実績ファイル（７）基幹データーベース・ポイントデータベース
【図１】
2009271896.tif 000003
【図２】
2009271896.tif 000004
【図３】
2009271896.tif 000005
【図４】
2009271896.tif 000006
【図５】
2009271896.tif 000007
(57)【要約】【課題】本発明は、着脱の容易なファイル用ポケットを提供する。【解決手段】書類を入れることのできるファイリンポケットの綴じ込み側縁に切り欠きを設けることにより、ファイルのリング、チューブにかけることができるファイル用ポケット。【選択図】図２
2009056790.tif 000002
【特許請求の範囲】
【請求項１】
書類をファイリングするための用具において、綴じ込み側縁に、閉じ穴につながる切り欠きをもうけ、この開口部（切り欠き）はファイルのチューブ、リングなどにかけられる構造にしたことを特徴とするファイル用ポケット。切り欠きは強度を増すために切り欠き台を介してもうけても良い。
【発明の詳細な説明】
【技術分野】
【０００１】  本発明は、書類をファイリングするための袋状のファイル用ポケットに関するものである。
【背景技術】
【０００２】  従来、リングファイル、チューブファイルなどに書類を入れるポケットを、綴じ込み側縁に綴じ穴をあけて、この綴じ穴にチューブ、リングを通してファイリングしていた。例えば、特許文献１のような構造を持つ。
【特許文献１】特許公開２００１−２７７７６７
【発明の開示】
【発明が解決しようとする課題】
【０００３】  上記の特許は以下のような問題点があった。
（イ）取り付け、取り外しにチューブ、リングを一旦はずさなければならない。
（ロ）収納している書類やポケットが多くなると、ファイルの途中への取り付け、取り外しがさらに難しくなる。
本発明はこれらの問題点を解決するためになされたものである。
【課題を解決するための手段】
【０００４】  ポケットの綴じ込み側縁に閉じ穴とつながる切り欠きをもうける。この切り欠きを使ってチューブやリングにかけて収納する。
【発明の効果】
【０００５】  ポケットの収納、取り外しが容易で、ファイル途中への収納、取り外しが容易になる。
【発明を実施するための最良の形態】
【０００６】  以下、本発明の実施の形態について説明する。
（イ）クリアポケットの綴じ込み側縁に、鉤型の切り欠き部を図１に示すように設ける。
（ロ）切り欠きを図２のように、ファイルのリングまたはチューブにかけることにより、クリアポケットを取り付ける。綴じこみ側縁はプラスチック、厚紙、金属などからなり、切り欠きをファイルのリングまたはチューブにかけたときに曲がらないような十分な強度のあるものである。
（ハ）切り欠き部は、図３のように曲線型でもかまわない。リング、チューブにかけられる形状であれば良い。
（ニ）切り欠き部は、図４のように切り欠き台を、綴じ込み側縁の一部に設け、切り込み台上に設けてもかまわない。
（ホ）切り欠き部は、図５のように切り欠き台を切り欠きの周囲のみに縁上に設けても良い。
【図面の簡単な説明】
【００１０】
【図１】実施例１の側面図
【図２】本発明をファイルに取り付けた状態の斜視図
【図３】実施例２の側面図
【図４】実施例３の側面図
【図５】実施例４の側面図
【符号の説明】
【００１１】  １  クリアファイル本体
２  綴じ込み側縁
３  切り欠き
４  切り欠き台
５  切り欠き台
６  リング
７  リングファイル
【図１】
2009056790.tif 000003
【図２】
2009056790.tif 000004
【図３】
2009056790.tif 000005
【図４】
2009056790.tif 000006
【図５】
2009056790.tif 000007